(57)【要約】【課題】生産直前になってマイコンソフトウェアに不具合が発見された場合生産ラインでの書き換えを行う必要があるが、書き換えに時間と場所が必要である。【解決手段】生産ラインの調整工程に入る前の段階であるエージング工程においてテレビジョン受信機のＡＣオンによりエージングをスタートするとともに、メモリカードスロットにマイコンソフトウェアを格納したメモリカードを挿入しておけばソフトウェアの書き換えを自動的に行うように構成したものである。【選択図】図２
2005039717.tif 000002
【特許請求の範囲】
【請求項１】
生産時の工場モードにおいてＡＣオンによりエージングモードに入ると同時に、マイコンプログラムやデータを格納したメモリカードをカードスロットに挿入しておくと、マイコンソフトウェアの書き換えを行うことを特徴としたテレビジョン受信機。
【請求項２】
生産時の工場モードにおいてＡＣオンによりエージングモードに入ると同時に、マイコンプログラムやデータを格納したメモリカードをカードスロットに挿入しておくと、デジタル放送受信ユニット部のフラッシュメモリに格納されたソフトウェア、またはテレビジョン受信機本体制御用マイコンのフラッシュメモリに格納されたソフトウェア、またはテレビジョン受信機本体制御用マイコンのＥＥＰＲＯＭに格納されたソフトウェアの書き換えを行うことを特徴とするテレビジョン受信機。
【発明の詳細な説明】
【技術分野】
【０００１】
本発明はテレビジョン受信機に関するものである。
【背景技術】
【０００２】
近年のテレビジョン受信機は、ＢＳ放送、ＣＳデジタル放送に加え、地上波デジタル放送の受信が可能となり、テレビジョン放送に加えデータ放送の受信を可能にしたり、それらの電子番組表を表示したりと、マイコンソフトウェアの規模が大きくなってきており、テレビジョン受信機のソフトウェアに不具合が発見された場合は、フラッシュメモリに格納されたソフトウェアを書き換える必要がある。従来はマイコンソフトウェアが格納されたメモリカードを用いてテレビジョン受信機のソフトウェアの書き換えを行うことによりソフトウェアの書き換えを行っていた（例えば、特許文献１参照）。
【特許文献１】特開２００１−１３６０８５号公報
【発明の開示】
【発明が解決しようとする課題】
【０００３】
このようなテレビジョン受信機においては、生産直前になってマイコンソフトウェアに不具合が発見された場合、生産ラインでの書き換えを行う必要があるが、書き換えに時間と場所が必要であり、またラインの流れを乱すことになり、その生産効率を低下させていた。
【課題を解決するための手段】
【０００４】
この課題を解決するために本発明は、生産ラインの調整工程に入る前の段階であるエージング工程においてテレビジョン受信機のＡＣオンによりエージングをスタートするとともに、メモリカードスロットにマイコンソフトウェアを格納したメモリカードを挿入しておけばソフトウェアの書き換えを自動的に行うように構成したものである。
【０００５】
これにより、ソフトウェア書き換えのための時間と作業者の工数を削減することができ、また作業の場所が不要になる為生産効率の低下を避けることが可能である。
【発明の効果】
【０００６】
以上のように本発明によれば、ソフトウェア書き換えのための時間と作業者の工数を削減することが出来、また作業の場所が不要になる為生産効率の低下を避けることが可能であるという有利な効果が得られる。
【発明を実施するための最良の形態】
【０００７】
本発明は、生産時の工場モードにおいてＡＣオンによりエージングモードに入ると同時に、マイコンプログラムやデータを格納したメモリカードをカードスロットに挿入しておくと、マイコンソフトウェアの書き換えを自動的に行うことを特徴としたものであり、ソフトウェア書き換えのための時間と作業者の工数を削減することが出来るという作用を有する。
【０００８】
また本発明は、生産時の工場モードにおいてＡＣオンによりエージングモードに入ると同時に、マイコンプログラムやデータを格納したメモリカードをカードスロットに挿入しておくと、デジタル放送受信ユニット部のフラッシュメモリに格納されたソフトウェアの書き換えを自動的に行うことを特徴としたものであり、ソフトウェア書き換えのための時間と作業者の工数を削減することが出来るという作用を有する。
【０００９】
また、本発明は、生産時の工場モードにおいてＡＣオンによりエージングモードに入ると同時に、マイコンプログラムやデータを格納したメモリカードをカードスロットに挿入しておくと、テレビジョン受信機本体制御用マイコンのフラッシュメモリに格納されたソフトウェアの書き換えを自動的に行うことを特徴としたものであり、ソフトウェア書き換えのための時間と作業者の工数を削減することが出来るという作用を有する。
【００１０】
また本発明は、生産時の工場モードにおいてＡＣオンによりエージングモードに入ると同時に、マイコンプログラムやデータを格納したメモリカードをカードスロットに挿入しておくと、テレビジョン受信機本体制御用マイコンのＥＥＰＲＯＭに格納されたソフトウェアの書き換えを自動的に行うことを特徴としたものであり、ソフトウェア書き換えのための時間と作業者の工数を削減することが出来るという作用を有する。
【００１１】
（実施の形態１）
以下に本発明のテレビジョン受信機実施の形態について、図１及び図２をもって説明する。
【００１２】
図１はテレビジョン受信機を示し、デジタル放送受信ユニット３１は、ＢＳデジタル放送やＣＳデジタル放送、地上波デジタル放送の受信を行うもので、デジタル放送を受信するために必要なデジタルチューナ３と、受信した信号の復調・デコードを行う映像信号処理部４と、デジタルチューナ３や映像信号処理部４を制御するマイコン５と、マイコン５で使用するプログラムやデータを格納するフラッシュメモリ６から構成されている。
【００１３】
テレビジョン受信機３０は、デジタル放送受信ユニット３１と、従来のアナログ放送を受信するアナログチューナ１３と、ビデオなどの外部入力１４と、アナログチューナ１３と外部入力１４とを切り換える切換器１５と、切換器１５からの映像信号とデジタル放送受信ユニット３１からの映像信号とを切り換える切換器１６と、切換器１６を含む映像信号処理部１７と、映像を表示する為のディスプレイ１８と、デジタル放送ユニット３１以外のデバイスを制御するフラッシュメモリ１１を内蔵したマイコン１０と、テレビジョン受信機３０の調整データやユーザー設定値を格納する不揮発性メモリＥＥＰＲＯＭ１２と、ＯＳＤによりエージング画面を表示する手段と、メモリカード１を挿入するカードスロット２と、カードスロット２にカード１が挿入されていることを検出する手段とから構成されている。
【００１４】
図２は工場モードにおけるエージングの動作とソフトウェア書き換え動作のフローチャートである。工場モードとは、一般ユーザーが使用する通常モードで行っている音量アップダウンの最適な速度設定やアスペクト比検出の誤動作防止手段などの設定などを無効にした特殊モードで、ＥＥＰＲＯＭ１２に設定フラグを持っている。
【００１５】
ＡＣオン後、マイコン１０が起動してＥＥＰＲＯＭ１２から必要なデータを読み出して工場モードであるか判断する。工場モードであればデジタル放送受信ユニット３１のマイコン５にも工場モードである旨をシリアルバス２２を用いて通知する。このときマイコン１０はテレビジョン受信機３０のエージングを行う為の映像をＯＳＤにより表示する。
【００１６】
ディスプレイデバイスにＣＲＴ（陰極線管）を用いたテレビジョン受信機の場合、エージングスタート時点では周辺部だけが光っているパターンでエージングを行い、ＣＲＴの周辺の金属部分を早く熱的に安定させ、その後に全面白パターンにより一様にエージングを行うことにより時間を短縮する。
【００１７】
図２のエージング画面１は周辺部のみが白いパターンで、エージング画面２は前面白パターンをあらわす。またエージング画面１を表示している時間をＥＥＰＲＯＭ１２に格納することによりＣＲＴの種類や規格が変わっても柔軟に対応できる様にしている（公開番号：特開平０８-２８７８３２）。
【００１８】
マイコン１０がエージングパターンを表示しているとき、工場モードであることが通知されたデジタル放送ユニット３１のマイコン５はカードスロット２にマイコン５用のソフトウェアが格納されたメモリカード１が挿入されているかを検出し、ここで検出されればマイコン５用のソフトウェアが格納されているフラッシュメモリ６の書き換えをスタートし更新する。書き換えが終了すれば再起動しデジタル放送受信ユニット３１はデジタル放送受信可能状態になる。書き換え用ソフトウェアが検出されなければマイコン５はソフトウェアの更新は行わずに、エージング画面２でのキー入力待ちとなる。特定キーの入力によりエージング画面を消去して受像状態になる。
【００１９】
（実施の形態２）
つぎに本発明の他の実施の形態について、図１及び図３をもって説明する。
【００２０】
マイコン１０がエージングパターンを表示しているとき、工場モードであることが通知されたデジタル放送ユニット３１のマイコン５はカードスロット２にマイコン１０用のソフトウェアが格納されたメモリカード１が挿入されているかを検出し、ここで検出されればマイコン１０用のソフトウェアが格納されているフラッシュメモリ１１の書き換えをスタートし更新する。
【００２１】
（実施の形態３）
つぎに本発明の他の実施の形態について、図１及び図４をもって説明する。
【００２２】
マイコン１０がエージングパターンを表示しているとき、工場モードであることが通知されたデジタル放送ユニット３１のマイコン５はカードスロット２にＥＥＰＲＯＭ１２用の書き換え用データが格納されたメモリカード１が挿入されているかを検出し、ここで検出されればマイコン１０用のデータが格納されているＥＥＰＲＯＭ１２の書き換えをスタートし更新する。
【産業上の利用可能性】
【００２３】
本発明のテレビジョン受信機は、ソフトウェア書き換えのための時間と作業者の工数を削減し、また作業の場所が不要であるため製造時の生産効率の低下を避ける効果を有するもので、テレビジョン受信機の動作を行うためのあらゆるソフトウェアの書き換えにもこの手段は適用が可能である。
【図面の簡単な説明】
【００２４】
【図１】本発明の一実施の形態例によるテレビジョン受信機の構成を示す図
【図２】本発明の一実施の形態例であるエージングの動作とソフトウェア書き換え動作のフローチャート
【図３】本発明の他の実施の形態例であるエージングの動作とソフトウェア書き換え動作のフローチャート
【図４】本発明の他の実施の形態例であるージングの動作とソフトウェア書き換え動作のフローチャート
【符号の説明】
【００２５】
１    メモリカード
２    カードスロット
３    デジタルチューナ
４    映像信号処理部
５    マイコン
６    フラッシュメモリ
１０    マイコン
１１    フラッシュメモリ
１２    ＥＥＰＲＯＭ
１３    アナログチューナ
１４    外部入力端子
１５    切換器
１６    切換器
１７    映像信号処理部
１８    ディスプレイ
２０    シリアルバス
３０    テレビジョン受信機
３１    デジタル放送受信ユニット
【図１】
2005039717.tif 000003
【図２】
2005039717.tif 000004
【図３】
2005039717.tif 000005
【図４】
2005039717.tif 000006